(57)【特許請求の範囲】
【請求項１】
流体を流して温度を調節できる温度調節用流体通路付き成形型において、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されている温度調節用流体通路付き成形型。
【請求項２】
請求項１に記載の温度調節用流体通路付き成形型において、前記内外に重ねられた部材の対向する面同士が及び前記部材と前記端部材とがパルス通電接合法により仮接合されている温度調節用流路付き成形型。
【請求項３】
請求項１又は２に記載の温度調節用流体通路付き成形型において、前記軸穴が軸方向に貫通する貫通穴であり、前記成形コアが協同して前記キャビティを画成する複数のコア部材から成り、前記コア部材の少なくとも一つが前記軸穴内に着脱可能に挿入されている成形型。
【請求項４】
請求項１、２又は３に記載の温度調節用流体通路付き成形型において、前記端部材の一方に前記入口ポート及び出口ポートが形成され、前記通路が、前記内側の部材の外周面と前記外側の部材の内周面の少なくとも一方に形成されていて、円周方向に伸びかつ軸方向に隔てられた複数の環状溝により構成され、前記内側の部材の外周面及び前記外側の部材の内周面の少なくとも一方には前記環状溝と前記入口ポートとを連通する第１の軸方向通路が形成され、前記内側の部材の外周面及び前記外側の部材の内周面の少なくとも一方には前記第１の軸方向通路とは円周方向に異なる位置において前記環状溝と前記出口ポートとを連通する第２の軸方向通路が形成されている成形型。
【請求項５】
請求項１、２又は３に記載の温度調節用流体通路付き成形型において、前記通路が、前記内側の部材の外周面と前記外側の部材の内周面の少なくとも一方に形成された少なくとも１条の螺旋溝により構成され、前記内側の部材及び前記外側の部材の少なくとも一方には前記螺旋溝の一端と前記入口ポートとを連通する第１の軸方向通路が形成され、前記内側の部材及び前記外側の部材少なくとも一方には前記第１の軸方向通路とは円周方向に異なる位置において前記螺旋溝の他端と前記出口ポートとを連通する第２の軸方向通路が形成されている成形型。
【請求項６】
請求項１、２又は３に記載の温度調節用流体通路付き成形型において、前記通路が、前記内側の部材の外周面と前記外側の部材の内周面の少なくとも一方に形成されていて、軸線方向に伸びかつ円周方向に隔てられた複数の軸方向溝により構成され、前記両端部材には前記軸方向溝と連通する通路が形成され、前記通路の一方と前記入口ポートとが連通可能であり、前記通路の他方と前記出口ポートとが連通可能である成形型。
【請求項７】
流体を流して温度を調節できる温度調節用流体通路付き成形型を製造する方法において、
両端面を有していて内外にほぼ同軸にして重ねて配置される少なくとも二つの部材と、前記両端面に接合される二つの端部材とを用意することと、
内外に重ねられたとき互いに向き合う面の間に前記流体通路を形成することと、
前記端部材のうち少なくとも一つの端部材には前記通路とそれぞれ連通する入口ポート及び出口ポートの少なくとも一方を形成することと、
前記部材の前記端面と前記端部材の一方の面とを互いに当接させ、少なくとも前記端面と前記端部材の面とをパルス通電加圧焼結法を応用したパルス通電接合法により仮接合し、その後熱処理して接合を完成させて母材をつくることと、
前記母材に機械加工を施してコア部材挿入用の軸穴を形成することと、
前記穴内には成形型のキャビティを画成する少なくとも一つのコア部材を挿入することと、
を含む成形型の製造方法。
【請求項８】
請求項６に記載の温度調節用流体通路付き成形型を製造する方法において、前記端面と前記端部材の面とを及び前記内外に重ねられた部材の対向する面同士をパルス通電接合法により仮接合する製造方法。
【請求項９】
請求項７又は８に記載の温度調節用流体通路付き成形型を製造する方法において、前記部材の対向する面並びに前記部材の端面及び前記端部材の面を鏡面に加工する成形型の製造方法。
【請求項１０】
請求項６、７又は８に記載の温度調節用流体通路付き成形型を製造する方法において、前記熱処理を所望の雰囲気内で前記ブロックの材質の溶融温度の５５ないし８５％の温度範囲で行なう成形型の製造方法。
【請求項１１】
流体を流して温度を調節できる温度調節用流体通路付き成形型と、前記成形型を収容する収容空間を画成する金型母材との組合せ体において、
前記成形型が、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されて形成され、
前記金型母材と前記成形型との間に断熱層が設けられている、
ことを特徴とする温度調節用流体通路付き成形型と金型母材との組合せ体。
【請求項１２】
請求項１１に記載の組合せ体において、前記断熱層が断熱空間の層及び断熱材の層の少なくとも一方の層である組合せ体。
【発明の詳細な説明】
【０００１】
【発明の属する技術分野】
本発明は、温度調節用流体通路付き成形型及びその製造方法に関し、詳しくは加熱用流体或いは冷却用流体を流す通路が形成されている成形型及びその製造方法並びにそのような成形型とその成形型を収容する金型母材との組合せ体に関する。
【０００２】
プラスチック成形型或いはゴム成形型、ガラス成形型或いはダイキャスト型等の成形型の温度を調節するために成形型の本体内に流体通路を形成し、その流体通路内に冷却流体或いは加熱流体を流すことは従来から知られている。このような既知の成形型及びその製造方法では、流体通路は図１５に示されるように成形型１の本体２に外周面から複数の貫通孔３を互いに交差するように空け、その貫通孔の外周面の開口部のいくつかを栓４で塞いで残りを入り口ポート５及び出口ポート６とし、複数の貫通孔によって画成された流体通路内に冷却液又は加熱液を流して成形型１の温度を調節するようにしている。流体は液体でも気体でもよい。
【発明が解決しようとする課題】
【０００３】
しかしながら、かかる従来の成形型では、流体通路が複数の直線の貫通孔の組合せで構成されているため、流体回路の形状が限られてしまい、成形品に応じて最適なパターンの流体回路を形成することが極めて困難であるだけでなく、製造工程も工数が多くなり、コスト高になる問題もある。更に、従来の流体通路付き成形型では、成形型の中心部に貫通穴を設け、その貫通穴の中に成形型のキャビティを画成する少なくとも一つの成形コアを着脱可能に挿入する構造の成形型では、それ自体には冷却通路を形成することが困難なため、図１６に示されるように、成形型が挿入される空洞Ｃｖを画成する矩形の金型母材７ａに互いに接続する複数の貫通穴３ａを直線的に形成し、その貫通穴３ａの一部を栓４ａで塞いで通路にしていた。このため成形型を成形品近傍の位置で形状に合わせ近接させ精度良く加熱、冷却温度制御を行うことが困難なため、温度制御を適切に行うことが困難で、成形可能な材料にも温度むらが生じ、制限があった。
【０００４】
本発明が解決しようとする一つの課題は、放電プラズマ焼結、放電焼結、プラズマ活性化焼結法等のパルス通電焼結法（パルス通電加圧焼結法）を応用した接合技術（パルス通電接合法と称する）により従来の成形型及びその製造方法の欠点をなくした新規な温度調節用流体通路付き成形型及びその製造方法を提供することである。
本発明が解決しようとする他の課題は、温度調節用の流体通路の回路パターンを任意のパターンに自由度を広げて設計できる温度調節用流体通路付き成形型及びその製造方法を提供することである。
本発明が解決しようとする別の課題は、温度調節用の流体通路の回路を複数層に亘って低コストでできる温度調節用流体通路付き成形型及びその製造方法を提供することである。
本発明が解決しようとする更に別の課題は、温度調節用流体通路付き成形型と、そのような成形型とを収容する空洞を画成する金型母材との新規な組み合わせを提供することである。
【０００５】
【課題を解決するための手段】
本願の一つの発明は、流体を流して温度を調節できる温度調節用流体通路付き成形型において、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されて構成されている。
上記成形型の一つ実施形態において、前記内外に重ねられた部材の対向する面同士が及び前記部材と前記端部材とがパルス通電接合法により仮接合されていて、もよく、また、前記軸穴が軸方向に貫通する貫通穴であり、前記成形コアが協同して前記キャビティを画成する複数のコア部材から成り、前記コア部材の少なくとも一つが前記軸穴内に着脱可能に挿入されていても良い。
上記成形型の別の実施形態において、前記端部材の一方に前記入口ポート及び出口ポートが形成され、前記通路が、前記内側の部材の外周面と前記外側の部材の内周面の少なくとも一方に形成されていて、円周方向に伸びかつ軸方向に隔てられた複数の環状溝により構成され、前記内側の部材の外周面及び前記外側の部材の内周面の少なくとも一方には前記環状溝と前記入口ポートとを連通する第１の軸方向通路が形成され、前記内側の部材の外周面及び前記外側の部材の内周面の少なくとも一方には前記第１の軸方向通路とは円周方向に異なる位置において前記環状溝と前記出口ポートとを連通する第２の軸方向通路が形成されていても、前記通路が、前記内側の部材の外周面と前記外側の部材の内周面の少なくとも一方に形成された少なくとも１条の螺旋溝により構成され、前記内側の部材及び前記外側の部材の少なくとも一方には前記螺旋溝の一端と前記入口ポートとを連通する第１の軸方向通路が形成され、前記内側の部材及び前記外側の部材少なくとも一方には前記第１の軸方向通路とは円周方向に異なる位置において前記螺旋溝の他端と前記出口ポートとを連通する第２の軸方向通路が形成されていても、或いは、前記通路が、前記内側の部材の外周面と前記外側の部材の内周面の少なくとも一方に形成されていて、軸線方向に伸びかつ円周方向に隔てられた複数の軸方向溝により構成され、前記両端部材には前記軸方向溝と連通する通路が形成され、前記通路の一方と前記入口ポートとが連通可能であり、前記通路の他方と前記出口ポートとが連通可能であっても良い。
【０００６】
本願の他の発明は、流体を流して温度を調節できる温度調節用流体通路付き成形型を製造する方法において、
両端面を有していて内外にほぼ同軸にして重ねて配置される少なくとも二つの部材と、前記両端面に接合される二つの端部材とを用意することと、
内外に重ねられたとき互いに向き合う面の間に前記流体通路を形成することと、
前記端部材のうち少なくとも一つの端部材には前記通路とそれぞれ連通する入口ポート及び出口ポートの少なくとも一方を形成することと、
前記部材の前記端面と前記端部材の一方の面とを互いに当接させ、少なくとも前記端面と前記端部材の面とをパルス通電加圧焼結法を応用したパルス通電接合法により仮接合し、その後熱処理して接合を完成させて母材をつくることと、
前記母材に機械加工を施してコア部材挿入用の軸穴を形成することと、
前記穴内には成形型のキャビティを画成する少なくとも一つのコア部材を挿入することと、
を含んで構成されている。
上記製造方法の一つの実施例において、前記接合面を鏡面に加工してもよい。また、他の実施例において、前記熱処理を真空雰囲気内で前記ブロックの材質の溶融温度の５５ないし８５％の温度範囲で行なってもよい。
【０００７】
本願の別の発明は、流体を流して温度を調節できる温度調節用流体通路付き成形型と、前記成形型を収容する収容空間を画成する金型母材との組合せ体において、
前記成形型が、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されて形成され、
前記金型母材と前記成形型との間に断熱層が設けられて構成されている。
上記組合せ体において、前記断熱層が断熱空間の層及び断熱材の層の少なくとも一方の層であってもよい。
【０００８】
【実施例】
以下、図面を参照して本発明の実施形態について説明する。
まず、図１ないし図６において、本発明による成形型及びその製造方法の一実施形態が、プラスチックギヤ成形型及びその製造方法として示されている。この実施形態の成形型内に水、油等の冷却液を流すための流体通路を形成するために予め分割された複数（この実施例では４個）の部材を用意し、その部材の１個又は２個に流体通路を形成した後それらの部材を放電プラズマ焼結、放電焼結、プラズマ活性化焼結法等のパルス通電焼結法を応用した接合方法（パルス通電接合方法）により接合して成形型用の母材１１として一体化し、その後にその母材に機械工等を施した後コア部材を取り付けてプラスチックギヤ成形型１０にするものである。この成形型用の母材１１は、成形型用の材質として適した材質、例えばＳＵＳ４２０Ｊ２（ステンレス鋼）でつくられ、内外に同軸状にして重ねて配置された二つの筒状の部材２０及び３０と、それらの部材の両端に配置された二つの環状の端部材４０及び５０を備えている。部材２０及び３０は同じ軸方向（図１及び図３で上下方向）長さを有している。下側（図１において）の端部材４０の一方の面（図２において上面）４１は平坦面（好ましくは鏡面）に加工されている。また、内外の部材２０及び３０の両端面２１及び３１（図２において上端面）並びに２２及び３２（図２において下端面）もそれぞれ平坦面（好ましくは鏡面）に加工されている。更に、上側（図１において）の端部材５０の下面（図２において）５２も平坦面（好ましくは鏡面）に加工されている。更に、部材２０及び３０の互いに対向する面すなわち部材２０の外周面２４及び部材３０の内周面３３も鏡面に加工されている。なお、鏡面に付いての数値的範囲は必ずしも明確でないが、ここでは、Ｒａ０．３以下の数値の平滑度（数値が小さくなれば平滑度は高くなる）を有する表面加工状態を言う。内側の部材２０の外周面２４には、全周に亘って円周方向に伸びる環状溝２５が複数個（この実施形態では５個）軸方向に隔てて形成されている。内側の部材２０の外径と外側部材３０の内周面３３の直径（内径）とは、部材２０が部材３０の軸穴内に隙間なくぴったりと嵌合するような寸法（例えば外側の部材の内径と内側の部材の外形との寸法差が２ないし５０μｍ）に決められている。部材２０の外周面２４には、更に、一方の端面（図２で上端面）からその端面から最も離れた環状溝２５まで軸方向に伸びる二つの軸方向溝２６、２６′が直径方向に隔てて形成されている。軸方向溝２６、２６′は軸方向通路を形成している。かかる環状溝及び軸方向溝は旋盤加工、フライス加工等の機械加工によって形成しても、或いは鋳造によって形成してもよい。なお、この実施形態において、内側の部材２０の内周面２３の直径（内径）と端部材４０及び５０の内周面の直径（内径）とは同じに形成され、また、外側の部材３０の外周面３４の直径（外径）と端部材４０、５０の外周面の直径（外径）とは同じに形成されている。なお、端部材の外形を外側部材の外形より大きくして必要に応じて後で機械加工により寸法を調整してもよい。また、部材２０及び３０の端面及びその端面に当接する端部材の面は必ずしも平坦である必要はなく、両者が同じ曲率ならば曲面でもよい。
【０００９】
一方の端部材（図１及び２では上側の端部材）５０には一端が端部材５０の下面（図１及び図２において）５２に開口し他端が外周面５４に開口する二つのポート５６及び５６′が形成されている。このポートの一方は入口ポートとして機能し、かつ他方は出口ポートとして機能する。二つのポート５６及び５６′の下面側の開口端の半径方向位置は、上記の内側の部材２０に形成された軸方向溝２６及び２６′と整合する位置である。部材２０の両端面２１及び２２には、一対の位置決めピン用の位置決め穴２７が、それぞれ、直径方向に隔てて形成されている。また、端面２１に当接する端部材５０の下面５２には位置決め穴２７と整合する一対の位置決め穴５７が形成され、端面２２に当接する端部材４０の上面４１には位置決め穴２７と整合する一対の位置決め穴４７が形成されている。
【００１０】
上記のように予め機械加工された部材２０の外側に部材３０が装着され、部材２０及び３０の両端に端部材４０及び５０が配置される。そして、部材２０と端部材４０及び５０とは位置決め穴２７、４７及び５７内に挿入された位置決めピンにより位置決めされる。この状態で端部材４０に形成された一対のポート４６及び４６′の下面側開口端は、部材２０に形成された軸方向溝２６及び２６′の上面２１の開口端と整合されている。したがって、この実施形態では、部材２０の上面２１及び部材３０の上面３１と端部材４０の下面４２とが互いに接合される一対の接合面に、また、部材２０の下面２２及び部材３０の下面３２と端部材５０の上面５２とが互いに接合される一対の接合面になる。この状態で図７に示されるような、放電プラズマ焼結方法のようなパルス通電焼結方法を応用したパルス通電接合装置１００の一対の通電電極間に配置し、このパルス通電接合装置でブロックを各対の接合面間で接合して一体化し、母材１１をつくる。
【００１１】
パルス通電接合装置１００は、例えば、通電接合部１１０と、熱処理部１２０とを備えている。通電接合部１１０は、台１１１の上に絶縁部材を介して公知の方法で台と電気的に絶縁させて固定された下通電電極１１３と、台１１１の上方に配置され台に関して公知の方法で固定された流体圧シリンダ１１４と、流体圧シリンダ１１４のピストンロッド１１５の先端（図で下端）に絶縁部材を介して公知の方法でピストンロッド１１５と電気的に絶縁して固定された上通電電極１１６とを備えている。流体圧シリンダは被接合材を押圧する加圧装置として機能する。加圧装置としては流体圧シリンダの代わりに電動モータ及びねじ機構で上通電電極を上下動させるようにしてもよい。上下通電電極は電源装置１１７に電気的に接続されている。電源装置は直流のパルス電流を供給できるようになっている。電源装置１１７は電源と通電電極との電気的接続及び切断を行うスイッチ機構（図示せず）を内蔵している。電源装置が供給できる電力は、電圧が１００Ｖ以下で、電流が、例えば２０００〜８０００Ａの大電流の電力である。上記例では下通電電極を固定にして上通電電極を動かすようにしたが、その逆でも、或いは両者を動くようにしてもよい。熱処理部１２０は真空雰囲気で熱処理可能な公知の構造の真空熱処理炉或いは不活性ガス雰囲気で熱処理可能なガス雰囲気炉でよい。また、パルス通電接合装置１１０と熱処理部１２０とを一体構造化してその間に製品搬送ロボット装置を配置し、仮接合された母材を複数個まとめてバッチ式に熱処理するような構造にしても、或いはそれらを別個に配置してもよい。なお、上記実施例では上通電電極を例えば複数の支柱（図示せず）で固定し、流体圧シリンダのような加圧装置を台１１１の上に配置してその加圧装置で下通電電極を上下動するようにしてもよい。
【００１２】
互いに重ね合わされかつ位置決めされた複数の部材２０、３０、４０及び５０を上記接合装置１００の一対の通電電極１１３と１１６との間にセットした後、加圧装置で所定の圧力、例えば０ないし５０メガパスカルの範囲の圧力で加圧した状態で、被接合体の体積、断面積、材質、形状、大きさ等に応じて通電電極間で所定の電圧で所定の電流の直流パルス電流を流すと、接触抵抗の高い当接界面部分がジュール加熱により高温に熱せされる。また、材料自体の抵抗値により全体がジュール加熱される。また、上下一軸加圧力による塑性変形と熱膨張により内外に重ねられた部材の当接界面には高い圧力が発生する。更にｏｎ−ｏｆｆパルス電流の流れの方向に沿って電場が生じ、電界拡散が生じる。この電界拡散効果と前述の熱拡散の機械的圧力が固相拡散接合に寄与し金属結晶構造の配向性をもとらすと考えられる。このため、それらの部材は対の接合面間、すなわち部材２０及び３０の対向する当接面間、部材２０及び３０の上面２１及び３１と部材５０の下面５２との間、下面２２及び３２と部材４０の上面４１との間で互いに接合する。この接合は、従来のホットプレス焼結法に比べ緻密化速度が速いことが接合実験結果で分かっている。その結果この状態での隣接するブロック間の接合は、エネルギー量的に拡散層は浅く接合強度の点で見た場合まだ完全なものではないが、接合界面の金属格子の配列状態はより拡散し易い方向に揃うものと考えられる。そこでこの接合状態を仮接合と呼び、仮接合された部材を仮接合体と呼ぶ。仮接合された部材２０、３０、４０及び５０により構成される仮接合体は、次に熱処理部１２０の熱処理炉内で熱処理が行なわれる。このように、仮接合する処理と熱処理とを行うので、ここでは２段処理法と呼ぶ。熱処理温度及び時間は部材の材質及び大きさによって異なるが、従来の熱処理のみによる固相拡散接合に要する時間に比べて１／１０ないし１／２０に大幅に短縮される。この熱処理を行うことにより仮接合されていた接合面間の接合は、緻密化拡散速度の速い時間により短い時間で完全なものになって完全な接合体になり、その接合体の接合強度は部材の材質の強度に匹敵する値になる。これにより母材１１の製造が完了する。上記パルス通電接合による加圧力、パルス電流の電圧及び電流並びに熱処理温度及び時間等はブロックの材質及びサイズによって異なるが、部材の材料としてＳＵＳ４２０Ｊ２を使用し、部材２０の内径を４０ｍｍ、外径を７０ｍｍ、部材３０の内径を７０ｍｍ、外径を１１０ｍｍとしかつ両者の軸方向長さを３０ｍｍとし、また、端部材４０及び５０の内径を４０ｍｍ、外径を１１０ｍｍとし、更に端部材４０及び５０の厚さをそれぞれ５ｍｍ及び２５ｍｍとした場合、圧力は３０メガパスカルで、電圧を３ないし１０Ｖで電流値を５０００ないし６０００アンペア、真空熱処理温度及び時間はそれぞれ９５０ないし１１００℃及び６０ないし１２０分の範囲で行うのが良い結果を得るのに好ましい。
なお、加熱時に、部材２０の外周面は中心軸から外側に膨張しようとしと、部材３０との外周は中心軸から外側に膨張し、内周面は中心軸方向に膨張しようとする。これにより部材２０が部材３０内に締まり嵌めによって嵌合されていなくても両者の当接面間の隙間輪小さくなる。更に冷却時に部材３０が先に冷却され、収縮により部材２０が一層締め付けられるため、通電接合時に外から加圧しなくても加圧した状態と同じ状態になり、接合はより完全なものになる。部材３０の内周面は形状によっては外側に膨張する場合もあるが、部材２０の外周面の外側への熱膨張との差が隙間を縮める方向に働くように両部材の肉厚を設定し、熱膨張、収縮により隙間がなくなる隙間範囲及び部材の肉厚にするのが好ましい。
【００１３】
このようにしてつくられた成形型用の母材１１には、部材２０に形成された複数の環状の溝２５及び軸方向溝２６、２６′によって画成される温度調節用流体が流れる流体通路が形成されている。そして軸方向溝２６と連通する一方のポート４６を入口ポートとし、軸方向溝２６′と連通するポート４６′を出口ポートとすると、流体は軸方向溝２６から複数の環状溝２５内を並列に流れ、軸方向溝２６′を介して出口ポート４６′から流出する。なお、各対の接合面間では予め鏡面加工が施されているため密な接合が行われ、流体通路から接合面間を通して流体が外部に流出することはない。母材１１には、後の機械加工工程において、中心部（円形の溝より半径方向内側でその溝と干渉しない位置）に図３に示されるように貫通穴１２が形成され、成形型の本体１１’につくり上げられる。貫通穴１２は、この実施例では、直径Ｄ１の横断面が円形の部分１３と、直径Ｄ２（Ｄ２＞Ｄ１）の横断面が円形の部分１４と、部分１３と１４との中間にあって内周に多数の凹凸がスプライン状に形成された部分１５とを有している。部分１５の内周に形成される凹凸は成形品であるプラスチックギヤの複数の歯を形成する部分であるから、そのプラスチックギヤの形状及び寸法に合わせて形成される。
なお、上記実施形態のように内側の部材２０として筒状の部材を使用しかつ端部材として環状の部材を使用する場合には、それらの内径が上記のように加工される部分の最小直径より小さい値を有する材料を使用する必要がある。予め筒状の部材及び環状の端部材を使用することにより上記のような機械加工の手間を少なくできるが、部材２０として中実の円柱体を使用しかつ端部材として円盤状のものを使用してもよい。また、プラスチックギヤの歯が直ぐ歯歯車でなくヘリカルギヤの場合には、部分１５に形成される凹凸はそのヘリカルギヤに対応した形状にするのはもちろんである。
【００１４】
一方、貫通穴内でプラスチックの成形に必要なキャビティ（プラスチック材を流し込む空洞）を画成するコア部材は別の製造工程で製造される。この実施例のコア部材は、図４及び図５に示される二つのコア部材６０及び７０で構成されている。一方のコア部材６０には本体１１′に形成された貫通穴１２の直径Ｄ１の部分に密に嵌合される外径を有する大径部分６３と、貫通穴１２内で本体１１の部分１５と協同して環状のキャビティを画成する直径ｄ１の小径部６４とが形成されている。またコア部材６０の軸心Ｏ−Ｏには一方の面（図４で上面であって、本体の貫通穴１２の内側になる面）６１から他方の面６２に貫通する段付きの芯穴６５が形成されている。面６１の中心には直径ｄ２の円形の凹部６６が形成されている。更に、コア部材６０には軸心Ｏ−Ｏから半径ｒ１及びｒ２の円周上の位置に円周方向に隔てて複数の貫通穴６７及び６８が形成されている。これらの貫通穴内には成形品を押し出す押し出しピン８２、８３が挿入されている。他方のコア部材７０は本体１１に形成された貫通穴１２の直径Ｄ２の部分内に密に嵌合される外径を有する大径部７３と、貫通穴内１２で本体１１と協同して環状のキャビティを画成する直径ｄ１の小径部７４とが形成されている。またコア部材７０には一方の面（図５で上面であって、本体の貫通穴１２の内側になる面）７１から他方の面７２に貫通する成形材注入ポート７５が形成されている。面７１の中心には直径ｄ２の円形の凹部７６が形成されている。上記のようなコア部材６０及び７０は、図６に示されるように本体１１′の貫通穴１２内に、軸８１と共に挿入され、成形型１０が作られる。なお、貫通穴の部分１４を本体の外側に向かって広がるテーパー付き穴にしても良い。その場合には、コア部材７０の部分７３の外周もテーパ付きにする。
【００１５】
上記実施形態において、内外に配置された二つの部材のうち内側の部材２０の外周面２４に環状溝２５を形成して流体通路を構成したが、（１）外側の部材３０の内周面３３に環状溝を形成して流体通路にしても、また、（２）部材２０の外周面及び部材３０の内周面に互いに整合する環状溝を形成してそれらの環状溝により流体通路を構成してもよい。前記（１）の場合、軸方向溝は部材３０の内周面３３に形成され、（２）の場合には軸方向溝は部材２０の外周面及び部材３０の内周面の両方に形成するのが好ましい。更に、円周方向に伸びる溝を環状溝とするのでなく、図８に示されるように内側の部材２０ａの外周面２４ａに形成された螺旋溝２５ａ、又は外側の部材３０ｂの内周面３３ｂに形成された螺旋溝３５ｂとし、その螺旋溝の一端（図８で上端）を軸方向通路２６ａ、２６ｂを介して端部材５０ａ、５０ｂに形成された一方のポート５６ａ、５６ｂに接続し、他端（図８で下端）を軸方向通路２６ａ′、２６ｂ′を介して他方のポート５６ａ′、５６ｂ′に接続してもよい。また、螺旋溝を１条でなく複数条にして別々に流体を流せるようにしてもよい。
更にまた、内外に重ねて配置される二つの部材間に形成される流体通路を、図９に示されるように、内側の部材２０ｃの外周２４ｃに軸方向に全長に亘って伸びる複数の軸方向溝２５ｃを、例えばスプラインのように円周方向に隔てて、形成し、その軸方向溝によって構成してもよい。もちろん、図示しないが、軸方向溝を外側の部材の内周面に形成し、それによって流体通路を構成してもよい。軸方向通路により流体通路を形成する場合には、図１０に示されるように、端部材４０ｃの上面４１ｃ及び端部材５０ｃの下面５２ｃに軸方向溝と連通する環状の溝４７ｃ及び５７ｃをそれぞれ設け、溝５７ｃをポート５６ｃに接続しかつ溝４７ｃを内側部材２０ｃに形成された連通孔２６ｃを介して他のポート５７ｃ′に接続するようにしてもよい。
【００１６】
上記のようにつくられた成形型１０は、金型母材の装着用の空洞内に挿入されるが、この場合、図１１に示されるように金型母材２００の上下に貫通する空洞２０１内に、成形型１０ｄの外側の部材３０ｄの外周と空洞の内周との間に断熱空間Ｉｃが形成されるようになっている。このため、成形型１０ｄのように、空洞２０１の内径を部材３０ｄの外径より大きくしてそれらの間に断熱空間ができるようにすると共に、端部材４０ｄ及び５０ｄの外径を空洞内にぴったりと入る大きさ（例えば外側の部材の内径と内側の部材の外形との寸法差が２ないし５０μｍ）にする。端部材の外径を大きくする代わりに部材３０ｄの外径と同じ外径の端部材に断熱材製のリングを勘合して断熱を行っても良い。また、図１２に示されるように、成形型１０ｅの外径を大きくした端部材４０ｅ、５０ｅの外側にスリーブ８０を嵌合して溶接等により固定し、スリーブと外側の部材３０ｅとの間に真空状態（負圧状態）に保持した真空空洞Ｖｃを設け、それによって、断熱効果を高めてもよい。なお、８１は補強リブである。更には、図１３に示されるように、成形型１０ｆの端部材４０ｆ、５０ｆの外径を部材３０ｆの外径より大きくすると共に端部材の外側に断熱スリーブ８５を固定し、断熱スリーブ付きの成形型を挿入してもよい。このように、成形型と金型母材との間に断熱空間及び断熱材の少なくとも一方による断熱層を形成することによって成形型の温度制御をより容易に且つ効率良く行うことができ、高温での成形が必要な樹脂材（例えば３００℃以上）による成形が可能となる。
【００１７】
図１４において、本願の成形型の更に別の実施形態が示されている。前の実施形態では内外に重ねられる部材が２個の例を示したが、この実施形態では３個にして異なる領域を加熱又は冷却して温度制御できるようにしている。同図において、内外に同軸状にして重ねて配置された二つの筒状の部材２０ｇと３０ｇとの間には、筒状の別の部材９０ｇが配置されている。それらの部材は同じ軸方向長さを有し、両端には端部材４０ｇ及び５０ｇが配置されている。なお、以下において図１ないし図６の実施形態と共通の部分に付いては説明は省略する。部材２０ｇの外周面２４ｇには全周に亘って円周方向に伸びる環状溝２５ｇが複数個（この実施形態では６個）軸方向に隔てて形成されている。部材２０ｇの外周面２４ｇには、更に、一方の端面（図２で上端面）から他方の端面まで軸方向に伸びる二つの軸方向溝２６ｇ、２６ｇ′が直径方向に隔てて形成されている。軸方向溝２６ｇ、２６ｇ′は軸方向通路を形成している。部材９０ｇの外周面９４ｇには全周に亘って円周方向に伸びる環状溝９５ｇが複数個（この実施形態では３個）部材９０ｇの軸方向中央部に軸方向に隔てて形成されている。部材９０ｇの外周面９４ｇには、更に、一方の端面（図１４で上端面）からその端面から最も離れた環状溝９５ｇまで軸方向に伸びる軸方向溝９６ｇと、他方の端面（図１４で上端面）からその端面から最も離れた環状溝９５ｇまで軸方向に伸びる軸方向溝９６ｇ′とが直径方向に隔てて形成されている。軸方向溝９６ｇ、９６ｇ′は軸方向通路を形成している。部材２に形成される軸方向溝２６ｇ、２６ｇ′と部材９０に形成される軸方向溝９６ｇ、９６ｇ′とは、部材２０、９０、３０及び端部材４０、５０が一体的に接合されるときは、軸方向溝２６ｇ、２６ｇ′と９６ｇ、９６ｇ′とが円周方向に９０度ずれるようにする。
【００１８】
一方の端部材（図１及び２では上側の端部材）５０ｇには一端が端部材５０ｇの下面５２ｇに開口し他端が外周面５４に開口する二対のポート５６ｇ及び５６ｇ′及び５９ｇ、５９ｇ′が形成されている。このポートの一方は入口ポートとして機能し、かつ他方は出口ポートとして機能する。二つのポート５６ｇと５６ｇ′とは直径方向に（円周方向に１８０°）隔てて形成され、同様に二つのポート５９ｇと５９ｇ′とも直径方向に隔てて形成されている。ポート５６ｇの下面側の開口端の半径方向位置は、図１４の［Ｂ］に示されるように、上記の内側の部材２０に形成された軸方向溝２６と整合する位置であり、ポート５６ｇ′の下面側の開口端の半径方向位置は、部材３０に軸方向に貫通して形成されかつ他方の軸方向溝２６ｇ′と端部材に形成された溝４６ｇを介して連通している通路３６ｇ′と整合する位置である。ポート５９ｇの下面側の開口端の半径方向位置は、図１４の［Ｂ］に示されるように、上記の内側の部材９０ｇに形成された軸方向溝９６ｇと整合する位置であり、ポート５９ｇ′の下面側の開口端の半径方向位置は、部材３０に軸方向に貫通して形成されかつ他方の軸方向溝５９ｇ′と端部材に形成された溝４９ｇを介して連通している通路３９ｇ′と整合する位置である。このように三つの筒状の部材を設けることによって二つの異なる流体通路を設け、しかもその位置を異ならせることによって加熱、冷却の範囲を調節する事が可能となる。
なお、上記実施形態では内側の部材の外周面及び外側の部材の内周面の少なくとも一方、更には中間の部材の内周面及び外周面の少なくとも一方に溝を形成する例を示したが、それらの内周面、外周面に溝を形成せずに、内外に重ねられる部材の面間に流体が流れる程度の隙間を設けておき（したがって内外に重ねられた部材間では接合されていない）、そこに温度調節用の流体を流してもよい。
【００１９】
【効果】
本発明によれば次の様な効果を奏することができる。
（イ）筒の部材又は柱状の部材の外周又は筒状の部材の内周に流体通路を画成する溝を形成してその部材をパルス通電焼結法を応用した接合方法（パルス通電接合法）で接合しているので、従来のロー付けや溶接法に比べ大面積の接合界面を全域に亙り隙間なく均質、高品位に漏れのないように接合できるので成形品面により近接した位置に所望の温度調節用流体通路の回路パターンを正確に成形型内部につくることができ成形型の温度調節効率を向上できる。
（ロ）表面に流体通路を画成する溝を形成したブロックをパルス通電焼結法を応用した接合方法で接合しているので、Ｏリング溝を設けＯリングでブロック間をシールする従来方法が不要となり、所望の流体通路の回路パターンを簡単につくることができ、熱伝導率をベースに有限要素法による熱分布シュミレーションの結果にほぼ近似の構造を設計できるため自由度を広げて効率の良い冷却加熱構造となりかつ製造コストの削減を図れる。
（ハ）複数の流体通路が画成できるので、部分的温度調節が可能となり、成形製品の品質を向上させることができる。
（ニ）同様な考え方で凸型内部にも流体通路が画成でき、更に詳細な温度管理ができる。
（ホ）成形型の温度制御を容易にかつより精密に行うことができる。
【図面の簡単な説明】
【図１】本発明の温度調節通路付き成形型の一実施形態に使用する母材の斜視図である。
【図２】図１の成形型の各部材を分解した状態で示す斜視図であって、各部材に形成された溝、位置決め穴等の配置関係を示す図である。
【図３】図１の母材に機械加工を施してできた成形型の本体の断面図である。
【図４】図３の本体内に挿入される一方のコア部材の斜視図である。
【図５】図３の本体内に挿入される他方のコア部材の斜視図である。。
【図６】成形型の断面図である。
【図７】パルス通電接合装置の概略構成を示す図である。
【図８】部材に形成される溝の変形例を示す断面図である。
【図９】部材に形成される溝の別の変形例を示す断面図である。
【図１０】図９の溝を有する母材における溝とポートとの接続方法を説明する断面図である。
【図１１】成形型の金型母材の空洞内への取り付け状態を説明する図である。
【図１２】成形型の金型母材の空洞内への他の取り付け状態を説明する図である。
【図１３】成形型の金型母材の空洞内への更に他の取り付け状態を説明する図である。
【図１４】本発明の成形型の更に別の実施形態の断面図である。
【図１５】従来の流体通路付き成形型の一例を示す図である。
【図１６】従来の流体通路付き金型母材の一例を示す図である。
【符号の説明】
１０、１０ａ、１０ｄ、１０ｅ、１０ｆ  成形型
１１、１１ａ、１１ｂ、１１ｃ、１１ｇ  母材
１２  貫通穴
２０、２０ａ、２０ｂ、２０ｃ  部材
３０、３０ａ、３０ｂ、３０ｃ、３０ｄ、３０ｅ、３０ｆ、  部材
４０、４０ａ、４０ｂ、４０ｃ、４０ｄ、４０ｅ、４０ｆ、  端部材
５０、５０ａ、５０ｂ、５０ｃ、５０ｄ、５０ｅ、５０ｆ、  部材
２４、２４ａ、２４ｂ、２４ｃ  外周
２５、２５ａ、２５ｃ  溝          ３５ｂ  溝
５６、５６′、５６ａ、５６ａ′、５６ｂ、５６ｂ′、５６ｃ、５６ｃ′ポート
６０、７０  コア部材
９０ｇ  部材
【図１】
0004671554.tif 000002
【図２】
0004671554.tif 000003
【図３】
0004671554.tif 000004
【図４】
0004671554.tif 000005
【図５】
0004671554.tif 000006
【図６】
0004671554.tif 000007
【図７】
0004671554.tif 000008
【図８】
0004671554.tif 000009
【図９】
0004671554.tif 000010
【図１０】
0004671554.tif 000011
【図１１】
0004671554.tif 000012
【図１２】
0004671554.tif 000013
【図１３】
0004671554.tif 000014
【図１４】
0004671554.tif 000015
【図１５】
0004671554.tif 000016
【図１６】
0004671554.tif 000017